(57)【要約】【課題】人や動物の侵入を防止すると共にごみや藻等が絡み付くことを防止する。【解決手段】水路２の侵入防止機構１は、水路２に形成された暗渠部３の入口３ａに一対の流れガイド装置５を配置した。各流れガイド装置５は、暗渠部３の入口３ａの上部壁面に支持アーム６と支持フレームを備えた支持サポート８を３組設置し、各支持フレームの下部に阻止板１０を固定した。各支持アーム６ａ、６ｂ、６ｃは水路２の中央側から外側に向けて順次長さを長く設定し、阻止板１０を水流に対して水平方向に傾斜させて配置した。一対の流れガイド装置５の阻止板１０を略ハの字形に設置し、両阻止板１０の間に間隙を形成し、各阻止板１０と水路の底部との間に間隙を形成して、水流を通す。【選択図】図１
2015014151.tif 000002
【特許請求の範囲】
【請求項１】
水路に形成された暗渠部の開口に阻止板がサポート部材によって設置され、前記阻止板は水流に対して傾斜して配置されていることを特徴とする水路の侵入防止機構。
【請求項２】
前記阻止板は水流の方向に対して水平方向及び垂直方向の少なくとも一方に傾斜して支持されている請求項１に記載された水路の侵入防止機構。
【請求項３】
前記サポート部材には、前記暗渠部と阻止板との水平方向の距離を調整する複数の水平角度調整部材が設けられ、前記複数の水平角度調整部材の阻止板までの長さを調整することで前記阻止板の水平方向の傾斜角度を調整可能とした請求項１または２に記載された水路の侵入防止機構。
【請求項４】
前記サポート部材には、前記暗渠部と阻止板との水平方向の距離を調整する垂直角度調整部材と前記阻止板を垂直面内で回動可能な支軸とが設けられ、前記垂直角度調整部材の阻止板までの長さを調整することで前記阻止板の垂直方向の傾斜角度を調整可能とした請求項１乃至３のいずれか１項に記載された水路の侵入防止機構。
【請求項５】
前記阻止板は平板である請求項１乃至４のいずれか１項に記載された水路の侵入防止機構。
【請求項６】
前記阻止板を水路の幅方向に間隙を設けて複数配置し、前記阻止板と水路の底部との間にも間隙を設けた請求項１乃至５のいずれか１項に記載された水路の侵入防止機構。
【発明の詳細な説明】
【技術分野】
【０００１】
本発明は、水路に設けた暗渠部等に人や動物が侵入することを防止するための水路の侵入防止機構に関する。
【背景技術】
【０００２】
従来、公園や道路脇等に遊水路や用水路等の水路が設けられており、これらの水路に橋やトンネル等の暗渠部が設けられていると、人や動物等が水路の開放部に入って暗渠部に侵入したり誤って転落したりすることがあった。そのため、水路に入った人や動物が暗渠部に侵入したりしないように防護柵を設けたものがある。
【０００３】
例えば特許文献１に記載されたスクリーン装置では、水路の暗渠部の上流側開口に複数のスクリーンバーが支保金具によって支持され、支保金具は暗渠部の開口の上部壁面に固定されている。そのため、人や動物が水路の開放路に転落したり下りたりして暗渠部に押し流されたり入ろうとしたりすると暗渠部に流入する手前でスクリーンバーで阻止される。
また、水路に複数のスクリーンバーを配列していると、ごみや藻等がスクリーンバーに絡みつくことがあった。その場合、ごみや藻等が絡みついたスクリーンバーだけを水路から垂直方向に抜き上げて除去するようにしていた。
【０００４】
また、特許文献２に記載されたスクリーン装置では、水路に複数配列させたスクリーンバーにそれぞれ回転翼を設けておき、ごみや藻等が絡みつこうとすると回転翼が回転して下流に流すことで異物の絡み付きを防止していた。また、人や動物が水路に入って暗渠部内に侵入することをスクリーンバーで阻止していた。
【先行技術文献】
【特許文献】
【０００５】
【特許文献１】実用新案登録第３１１４３７０号公報
【特許文献２】特開２０００−２４００３９号公報
【発明の概要】
【発明が解決しようとする課題】
【０００６】
しかしながら、上述した特許文献１に記載されたスクリーン装置では、ごみや藻等が絡み付くたびにその都度スクリーンバーを抜き上げて除去する必要があるため、手間がかかりメンテナンスのコストが高かった。
【０００７】
また、特許文献２に記載されたスクリーン装置では、各スクリーン毎に回転翼を取り付けるためにコスト高であった。しかも、スクリーン装置の設置後、ある程度時間が経過するとどうしてもごみや藻等がスクリーンバーの回転翼に絡み付くことを阻止できないためスクリーンバーや回転翼が詰まってしまい、回転翼が停止してしまうことがあった。その場合、作業員が水路に降りてごみや藻等をスクリーンバーや回転翼から除去する必要があるため、やはり手間がかかり、メンテナンスのコストが高かった。さらに、メンテナンスができない場合には、藻等がスクリーンを閉塞し、水路から水が溢れるという問題が発生する。
【０００８】
本発明は、このような事情に鑑みてなされたものであって、人や動物の侵入を防止すると共にごみや藻等が絡み付くことを確実に防止できるようにした水路の侵入防止機構を提供することを目的とする。
【課題を解決するための手段】
【０００９】
本発明による水路の侵入防止機構は、水路に形成された暗渠部の開口に阻止板がサポート部材によって設置され、阻止板は水流に対して傾斜して配置されていることを特徴とする。
本発明に係る水路の侵入防止機構によれば、阻止板を水路に設置することで人が暗渠部に侵入することを防止できると共に、ごみや藻等が付着しようとしても阻止板は水流に対して傾斜して配置されているため、ごみや藻等が絡み付くことができず、阻止板の面に沿って水流と共に速度を速めて下流側にスムーズに流される。
【００１０】
また、阻止板は水流の方向に対して水平方向及び垂直方向の少なくとも一方に傾斜して支持されていることが好ましい。
阻止板が水流に対して水平方向に傾斜していれば、水流と共にごみや藻等を阻止板に沿って左右の側部の間隙に水流を集めて流速を速めることができ、阻止板が垂直方向に傾斜していれば水流と共にごみや藻等を下側や上側に集めて流速を速めて流すことができる。
【００１１】
また、サポート部材には、暗渠部と阻止板との水平方向の距離を調整する複数の水平角度調整部材が設けられ、複数の水平角度調整部材の阻止板までの長さを調整することで阻止板の水平方向の傾斜角度を調整可能としてもよい。
水路を流れる水量や水流等に応じて、水平角度調整部材によって阻止板の水平方向の傾斜角度を調整することで水の流速や流量を調整できる。
【００１２】
また、サポート部材には、暗渠部と阻止板との水平方向の距離を調整する垂直角度調整部材と阻止板を垂直面内で回動可能な支軸とが設けられ、垂直角度調整部材の阻止板までの長さを調整することで阻止板の垂直方向の傾斜角度を調整可能としてもよい。
この場合も、水路を流れる水量や水流等に応じて、垂直角度調整部材によって阻止板の垂直方向の傾斜角度を調整することで水の流速や流量を調整できる。
【００１３】
また、阻止板は平板であることが好ましい。
阻止板が平板であれば、ごみや藻等が阻止板の表面に沿って絡み付いたり付着したりすることなく下流側に流すことができる。
【００１４】
また、阻止板を水路の幅方向に間隙を設けて複数配置し、阻止板と水路の底部との間にも間隙を設けるようにしてもよい。
傾斜配置された複数の阻止板の間隙に水流を集めて流すことで流速を速めることができ、更に阻止板と水路の底部との間に設けた間隙を通して水流を集めて流すことで流速を速めることができるため、ごみや藻等が阻止板に絡み付くことを防止できる。
【発明の効果】
【００１５】
本発明による水路の侵入防止機構によれば、阻止板を水流に対して傾斜させて水路に設置することで人が暗渠部に侵入することを防止できると共に、ごみや藻等が阻止板の表面に絡み付いたり付着したりすることを防止して、阻止板に沿って水流と共に速い速度で下流側に流すことができる。
【図面の簡単な説明】
【００１６】
【図１】本発明の第一実施形態における水路の暗渠部の入口側に設けた侵入防止機構を示す要部平面図である。
【図２】図１に示す侵入防止機構を上流側から見た要部正面図である。
【図３】図１に示す侵入防止機構において阻止板のサポート部材を示すＡ−Ａ線断面図である。
【図４】第一実施形態における水路の暗渠部出口側に設けた侵入防止機構を示す要部平面図である。
【図５】本発明の第二実施形態による水路の侵入防止機構を示す平面図である。
【図６】図５に示す侵入防止機構を上流側から見た要部正面図である。
【図７】図５に示す侵入防止機構のＢ−Ｂ線断面図である。
【発明を実施するための形態】
【００１７】
以下、本発明の実施形態による水路の侵入防止機構について添付図面を参照して説明する。
図１乃至図４は本発明の第一実施形態による水路２の侵入防止機構１を示すものである。図１に示す侵入防止機構１は、例えばせせらぎ水路や用水路、或いは排水路等の各種水路２に橋やトンネル等の暗渠部３を設けた領域で、暗渠部３の開口である入口３ａや出口３ｂに設置して人や動物の暗渠部３内への侵入を防止する機構である。
図１に示す例では、開放された水路２の暗渠部３の入口３ａに侵入防止機構１が設けられている。図１〜図３に示す侵入防止機構１において、暗渠部３の入口３ａに左右一対の流れガイド装置５が設けられている。
【００１８】
流れガイド装置５は、暗渠部３の入口３ａの上部壁面に固定された上流方向に延びる支持アーム６と、支持アーム６の先端から垂下された支持フレーム７と、を備えたサポート部材８が間隔を開けて複数、例えば３本配設されている。そして、３本の支持フレーム７の下端側に例えば長方形板状の阻止板１０が固定されている。
サポート部材８において、図１に示すように、各支持アーム６は水路２の中央側から外側に向けて順次長さが長くなるように形成されており、内側の最も長さの短いものを支持アーム６ａ、中間の長さのものを支持アーム６ｂ、外側の最も長いものを支持アーム６ｃとする。
【００１９】
そのため、各サポート部材８に固定された阻止板１０は水路２の外側から中央側に向けて次第に水路２の前方に位置するように水路に直交する方向に対して角度αだけ傾斜して配設されている。しかも、一対の流れガイド装置５の阻止板１０は、水流の幅方向に対向して線対称に略ハの字形に配設されている。一対の流れガイド装置５は暗渠部３の入口３ａより若干上流側に突出して配設されている。そして、各流れガイド装置５の各支持フレーム７は連結梁１１によって連結されている。
【００２０】
また、一対の流れガイド装置５において、阻止板１０の下側には水路２の底部との間に間隙Ｄ（例えば深さ１２０ｍｍ）が形成され、阻止板１０の上部は水面より上にでている。しかも、一対の流れガイド装置５の阻止板１０の間の間隙Ｗも例えば１２０ｍｍ程度に設定されている。また、各流れガイド装置５の阻止板１０と暗渠部３の入口３ａの天井面との間にも間隙Ｈが形成されている。なお、図１及び図２において、阻止板１０の外側端部は水路２の側壁に当接しているが、間隙を形成してもよい。
【００２１】
また、図４に示す侵入防止機構１は水路２における暗渠部３の出口３ｂ側に配設されており、入口側の流れガイド装置５と略同一構成であるから、同一の符号を用いて説明する。
図４に示す一対の流れガイド装置５は暗渠部３の出口３ｂより若干下流側に突出して配設されている。しかも、各流れガイド装置５における各サポート部材８は、内側に最も長い支持アーム６ｃ、中間に支持アーム６ｂ、外側に最も短い支持アーム６ａが配設され、各支持フレーム７に阻止板１０が固定されて水流に直交する方向に対して角度αで傾斜して配設されている。
【００２２】
本第一実施形態による水路の侵入防止機構１は上述の構成を備えており、次にその作用を説明する。例えば、人や動物が水路２の開放部分に降りたり転落したりした場合、暗渠部３内に入ろうとしても水路２の幅方向に一対の流れガイド装置５の阻止板１０を配設したから、暗渠部３内に入ることはできない。
【００２３】
また、一対の流れガイド装置５の阻止板１０はその下側に間隙Ｄが形成されているから、下側の水流は流速を速めて間隙Ｄを流れる。しかも、一対の阻止板１０は水平方向に角度αで傾斜配置されているから、水面の水流は阻止板１０で阻止され、更に略ハの字形に配設された一対の阻止板１０によって水の流れを外側から中央の間隙Ｗに集めて流速を速めて下流側に流れる。
しかも阻止板１０は平面であるから、水路２を流れる浮遊したペットボトル等の夾雑物やその他のごみや藻等は、阻止板１０の表面に引っ掛かったり付着したりすることなく流れに巻き込まれて間隙Ｗを通過する。
【００２４】
更に、暗渠部３の天井と阻止板１０の上端との間にも間隙Ｈが形成されているから、水嵩が増えて水位が上昇した場合でも阻止板１０を越流できて水流を妨げない。
また、水路２の暗渠部３の出口３ｂ側でも、同様に一対の流れガイド装置５の阻止板１０の下側の間隙Ｄを水流が流れると共に、一対の阻止板１０間の間隙Ｗをより速い速度で流れる。そのため、ごみや藻等は、高速の水流によって阻止板１０の表面に引っ掛かることなく下流側に流される。
【００２５】
上述のように本第一実施形態による水路の侵入防止機構１は、暗渠部３の入口３ａ側と出口３ｂ側に設けた一対の流れガイド装置５の阻止板１０によって人が暗渠部３内に入ることを防止できる。
しかも一対の阻止板１０は平面状で且つ略ハの字形に配設したから、阻止板１０の傾斜に沿って中央の間隙Ｗや下側の間隙Ｄでの水流を速めることができて、夾雑物やその他のごみや藻等を高速で流すことができるため、阻止板１０に夾雑物やその他のごみや藻等が引っ掛かったり付着したりすることを防止できる。
【００２６】
なお、本発明は上述の第一実施形態による水路の侵入防止機構１に限定されることはなく、本発明の要旨を変更しない範囲で適宜の変更や置換等が可能であり、これらはいずれも本発明に含まれる。以下に、本発明の他の実施形態や変形例について説明するが、上述の実施形態と同一または同様な部分、部材には同一の符号を用いて説明を省略する。
【００２７】
次に本発明の第二実施形態による水路２の侵入防止機構１５を図５乃至図７によって説明する。
本第二実施形態による侵入防止機構１５は阻止板１０の水平方向の傾斜角度と垂直方向の傾斜角度を任意に調整可能としたものである。
図５に示す侵入防止機構１５において、一対の流れガイド装置１６は阻止板１０が略ハの字形に対向配置され、各流れガイド装置１６に設けた複数のサポート部材８の支持アーム６に代えて水平角度調整アーム１７がそれぞれ設けられている。そして、各流れガイド装置１６において、暗渠部３の入口３ａの上部壁面に固定された支持板１８に複数、例えば３個の円筒支持部１８ａが所定間隔で設けられ、各水平角度調整アーム１７の一端に設けた筒部１９は円筒支持部１８ａ内に回転可能に支持され、他端は垂直に支持された固定フレーム２０に連結されている。
【００２８】
複数の水平角度調整アーム１７は、水路２の中央側から外側に向けて次第に長さが長く形成されており、中央側の最も長さの短い水平角度調整アーム１７ａ、中間の水平角度調整アーム１７ｂ、最も長さの長い外側の水平角度調整アーム１７ｃが所定間隔で配列されている。そして、中央側の水平角度調整アーム１７ａに形成されたネジ穴２１ａ（長穴でもよい）を通して固定フレーム２０の頂部に蝶ねじ等で固定されている。中間の水平角度調整アーム１７ｂ、外側の水平角度調整アーム１７ｃに長穴２１ｂ、２１ｃがそれぞれ形成され、各長穴２１ｂ、２１ｃの長手方向の適宜位置に挿通された蝶ねじ等のねじで固定フレーム２０の頂部に固定され、支持板１８から固定フレーム２０までの長さを調整可能としている。
そして、流れガイド装置１６において、各水平角度調整アーム１７ａ，１７ｂ，１７ｃの固定フレーム２０までの長さを調整して固定フレーム２０にねじ止めすることで、阻止板１０の水流に対する水平方向の傾斜角度を調整することができる。
【００２９】
また、図７に示すように、固定フレーム２０と阻止板１０を取り付けた支持フレーム７とは複数、例えば３本の垂直角度調整アーム２２を介して、阻止板１０の垂直角度を任意の角度に調整可能に連結されている。また、各支持フレーム７の下端部には、支持フレーム７を固定フレーム２０の下端部に対して回動可能に支持する支軸２３が設けられている。そして、各垂直角度調整アーム２２は同一長さであり、長孔２２ａを通して蝶ねじ等のねじで固定フレーム２０に対する支持フレーム７の距離を調整して固定することで、支持フレーム７及び阻止板１０の垂直方向の角度βを設定できる。
【００３０】
なお、図６に示すように、阻止板１０には所定間隔でスリットが設けられているが、このスリットはなくてもよい。また、上述した説明では、暗渠部３の入口３ａ側に設置した侵入防止機構１５を説明したが、出口３ｂ側にも同様な侵入防止機構１５を設置してもよい。
【００３１】
本第二実施形態による水路の侵入防止機構１５は上述の構成を備えているから、阻止板１０の水路２に対する水平方向傾斜角度αを調整するには、まず各水平角度調整アーム１７ａ，１７ｂ，１７ｃと固定フレーム２０を固定する蝶ねじを緩める。そして、中央側の水平角度調整アーム１７ａのネジ穴２１ａの蝶ねじを中心にして他の水平角度調整アーム１７ｂ，１７ｃの長穴２１ｂ、２１ｃに沿って各固定フレーム２０及び阻止板１０を回動させ、阻止板１０の水流に対する水平方向の傾斜角度αを調整する。その後、各蝶ねじを締め込んで各水平角度調整アーム１７ａ，１７ｂ，１７ｃを固定する。
【００３２】
次に、垂直角度調整アーム２２と固定フレーム２０及び支持フレーム７とを固定する蝶ねじをそれぞれ緩める。そして、各垂直角度調整アーム２２の長孔２２ａに沿って支持フレーム７を支軸２３を中心に垂直面内で回動させ、阻止板１０の水流に対する垂直方向の傾斜角度βを調整する。その後、各蝶ねじを締め込んで各垂直角度調整アーム２２を固定する。
こうして、水流に対する一対の流れガイド装置１６における各阻止板１０の水平方向と垂直方向の傾斜角度α、βを調整することで、暗渠部３内への人や動物の侵入を防ぐと共に阻止板１０の傾斜によって水流の方向を水平方向と上下方向にガイドすることができる。その際、阻止板１０の表面にごみや藻等が引っ掛かったり付着したりしないで水流と共に速度を上げて下流に流される。
【００３３】
上述のように本第二実施形態による水路の侵入防止機構１５によれば、水路２に設けた一対の流れガイド装置１６の阻止板１０の水平方向と垂直方向の傾斜角度α、βをそれぞれ調整できるから、人や動物の暗渠部３内への侵入を防ぐと共にごみや藻等が阻止板１０に引っ掛かることを抑制できる。しかも、例えば水嵩が増加した場合には、阻止板１０の各傾斜角度α、βを大きく調整して水流の抵抗を低減させることで水路２の安全性を確保できる。また、水嵩が減った場合には、阻止板１０の各傾斜角度α、βを小さく調整して水流の抵抗を増大させることで水路２の水面と水量を維持できる
【００３４】
上述した第二実施形態では、水路２の侵入防止機構１５は水路２に対して阻止板１０の水平方向と垂直方向の角度を調整できるものとしたが、本発明はこのような構成に限定されるものではない。例えば、阻止板１０の水平方向の角度のみを調整できるように構成してもよいし、垂直方向の角度のみを調整できるように構成してもよい。
【００３５】
また、上述した実施形態では、水路２の侵入防止機構１、１５として一対の流れガイド装置５、１６を配置した例について説明したが、流れガイド装置５、１６は水路２の幅の大きさに応じて間隙を開けて１つまたは３つ以上を配列してもよいことはいうまでもない。
また、上述した実施形態では、一対の流れガイド装置５、１６の間の間隙Ｗ，水路２の底部と阻止板１０との間の間隙Ｄを形成して水を流すようにしたが、水路２の側壁と阻止板１０の間に間隙を形成して所定の水流を生じさせてもよい。
なお、上述の各実施形態による水路２の侵入防止機構１、１５では、一対の阻止板１０を水路２の上流側から見て略ハの字形に配置したが、これに限定されることなく、逆ハの字形に形成してもよいし、同一方向に同一角度または異なる角度で傾斜させて配置させてもよい。
【符号の説明】
【００３６】
１、１５  侵入防止機構
２  水路
３  暗渠
３ａ  入口
３ｂ  出口
５，１６  流れガイド装置
６  支持アーム
７  支持フレーム
８  サポート部材
１０  阻止板
１７，１７ａ、１７ｂ、１７ｃ  水平角度調整アーム
２０  固定フレーム
２１、２２ａ  ガイド溝
２２  垂直角度調整アーム
Ｄ，Ｗ、Ｈ  間隙
【図１】
2015014151.tif 000003
【図２】
2015014151.tif 000004
【図３】
2015014151.tif 000005
【図４】
2015014151.tif 000006
【図５】
2015014151.tif 000007
【図６】
2015014151.tif 000008
【図７】
2015014151.tif 000009